(57)【要約】  【課題】外側パネルの面内における粒子速度の相違を勘案して、吸音材の面密度をより適正に設定して、遮音性と軽量化とを共に満足できるようにする。  【解決手段】騒音の入射側となる外側パネル２０（例えば車両のフロアパネル１）と、内側パネル３０（例えば車両のフロアカーペット１６）と、両パネル２０と３０との間の空間Ｋ内に配設された吸音材４０（例えば車両の吸音材１７）と、を有するパネル遮音構造の設計方法である。吸音材４０が無い状態において外側パネル２０を加振することにより、外側パネル２０の面内について、空間Ｋ内での粒子速度Ｖpの分布が求められる。外側パネル２０の面内について、粒子速度Ｖpの分布に基づいて、粒子速度Ｖpの小さい領域Ｍ２では粒子速度Ｖpの大きい領域Ｍ１に比して、吸音材４０の面密度が小さくなるように決定される。【選択図】  図２
2018066797.tif 000002
【特許請求の範囲】
【請求項１】
騒音の入射側となる外側パネルと、該入射側パネルに対して間隔をあけて配設された内側パネルと、該外側パネルと内側パネルとの間の空間内に配設された吸音材と、を有するパネル遮音構造の設計方法であって、
前記吸音材が無い状態において前記外側パネルを加振することにより、前記外側パネルの面内について、前記空間内での粒子速度の分布を求める第１ステップと、
前記外側パネルの面内について、前記第１ステップで得られた粒子速度の小さい領域では粒子速度の大きい領域に比して前記吸音材の面密度が小さくなるように該吸音材の面密度の分布を決定する第２ステップと、
を備えていることを特徴とするパネル遮音構造の設計方法。
【請求項２】
請求項１において、
前記第１ステップでは、所定のしきい値を境にして粒子速度の大きい領域と小さい領域との２段階での分布を求め、
前記第２ステップでは、前記吸音材の面密度の分布が２段階で相違するように決定する、
ことを特徴とするパネル遮音構造の設計方法。
【請求項３】
請求項２において、
前記第１ステップでの粒子速度の分布に基づいて、粒子速度が最大となる第１部位と中央値をとる第２部位とを選択する第３ステップと、
前記第３ステップで取得された前記第１部位と前記第２部位のそれぞれについて、前記空間内での流れ抵抗を０から増大させたときの粒子速度と流れ抵抗との関係を求める第４ステップと、
前記第４ステップで求められた粒子速度と流れ抵抗との関係において、前記第１部位と前記第２部位とのそれぞれについて、粒子速度が所定速度にまで低下するときの流れ抵抗値を得る第５ステップと、
前記第２ステップでは、前記粒子速度が大きい領域における面密度を、第５ステップで得られた前記流れ抵抗値を満足する第１面密度として決定する、
ことを特徴とするパネル遮音構造の設計方法。
【請求項４】
請求項３において、
前記第２ステップでは、
前記第１面密度でかつ前記粒子速度が大きいときの騒音低減レベルとなる第１等価損失を決定し、
前記粒子速度が小さい領域についての面密度となる第２面密度を、粒子速度が小さいときの等価損失が前記第１等価損失と同等となるように決定する、
ことを特徴とするパネル遮音構造の設計方法。
【請求項５】
請求項２ないし請求項４のいずれか１項において、
前記外側パネルおよび内側パネルがそれぞれ方形とされ、
前記面密度が大きくされる領域が、前記外側パネルの中央部で方形とされた中央領域と、該中央領域を取り巻きかつ該中央領域および外側パネルの周縁領域に対してそれぞれ間隔を有する方形の環状領域として設定される、
ことを特徴とするパネル遮音構造の設計方法。
【請求項６】
請求項１ないし請求項５のいずれか１項において、
前記外側パネルが、車両におけるフロアパネルとされ、
前記内側パネルが、前記フロアパネルを上方から覆うように配設されるフロアカーペットとされている、
ことを特徴とするパネル遮音構造の設計方法。
【発明の詳細な説明】
【技術分野】
【０００１】
本発明は、パネル遮音構造の設計方に関するものである。
【背景技術】
【０００２】
遮音のためのパネル構造として、騒音が入射される外側パネルに対して、間隔をあけて内側パネルを配設して、この外側パネルと内側パネルとの間の空間内に吸音材を充填した２重壁構造が知られている。
【０００３】
車両においては、ロードノイズがフロアパネルを介して車室内に伝達されることから、フロアパネル部分での遮音というものが重要となる。特許文献１には、フロアパネルパネル部分を２重壁構造としたものが開示されている。
【先行技術文献】
【特許文献】
【０００４】
【特許文献１】特開２０１４−１８９２３０号公報
【発明の概要】
【発明が解決しようとする課題】
【０００５】
ところで、遮音のために採択された２重壁構造にあっては、吸音材の面密度が大きいほど（つまり空間内での空気の流れ抵抗が大きいほど）、遮音性向上の上では好ましい反面、面密度が高くなるほど重量増加となり、軽量化という点では好ましくないものとなる。
【０００６】
従来の２重壁構造は、外側パネルの面内において（外側パネルの面に沿って）、吸音材の面密度が同一に設定されているのが実情である。すなわち、従来は、外側パネルから内側パネルとの間の空間においては、空気（粒子）が外側パネルから内側パネルに向けてほぼまっすぐに（外側パネルと直交する方向に）移動するものと考えられており、外側パネルの面内において吸音材の材質を変更する等のことは全く考慮されていないのが実情である。
【０００７】
一方、例えば車両のフロアパネル部分に２重壁構造を採択した場合に、フロアパネルは薄板の鉄系金属で形成されているいことから、例えばロードノイズによって微妙に振動されて、吸音材が配設される空間内ので空気速度（粒子速度）の分布が、外側パネルとしてのフロアパネルの面内において相違する、ということが新たに知得された。すなわち、振動する外側パネルは、振動していない静止状態の場合から大きく変位する腹の部分を有することから、腹とならない部分との間で空間容積の差が生じて、外側パネルの面内において空気の速度（つまり粒子速度）が移動することになる。
【０００８】
本発明は以上のような事情を勘案してなされたもので、その目的は、外側パネルの面内における粒子速度の相違を勘案して、外側パネルの面内における吸音材の面密度を適正に設定して、遮音性と軽量化とを共に満足できるパネル遮音構造の設計方法を提供することにある。
【課題を解決するための手段】
【０００９】
前記目的を達成するため、本発明にあっては次のような解決手法を採択してある。すなわち、請求項１に記載のように、
騒音の入射側となる外側パネルと、該入射側パネルに対して間隔をあけて配設された内側パネルと、該外側パネルと内側パネルとの間の空間内に配設された吸音材と、を有するパネル遮音構造の設計方法であって、
前記吸音材が無い状態において前記外側パネルを加振することにより、前記外側パネルの面内について、前記空間内での粒子速度の分布を求める第１ステップと、
前記外側パネルの面内について、前記第１ステップで得られた粒子速度の小さい領域では粒子速度の大きい領域に比して前記吸音材の面密度が小さくなるように該吸音材の面密度の分布を決定する第２ステップと、
を備えているようにしてある。
【００１０】
上記解決手法によれば、外側パネルの面内について、粒子速度の相違に応じて吸音材の面密度を相違させて、外側パネルの面内において一律に面密度を大きくする場合に比して、遮音性を同等のものとしつつ軽量化を図れるパネル遮音構造を設計することができる。
【００１１】
上記解決手法を前提とした好ましい態様は、請求項２以下に記載のとおりである。すなわち、
前記第１ステップでは、所定のしきい値を境にして粒子速度の大きい領域と小さい領域との２段階での分布を求め、
前記第２ステップでは、前記吸音材の面密度の分布が２段階で相違するように決定する、
ようにしてある（請求項２対応）。この場合、吸音材の構造をいたずらに複雑化することなく、請求項１に対応した効果を得ることができる。
【００１２】
前記第１ステップでの粒子速度の分布に基づいて、粒子速度が最大となる第１部位と中央値をとる第２部位とを選択する第３ステップと、
前記第３ステップで取得された前記第１部位と前記第２部位のそれぞれについて、前記空間内での流れ抵抗を０から増大させたときの粒子速度と流れ抵抗との関係を求める第４ステップと、
前記第４ステップで求められた粒子速度と流れ抵抗との関係において、前記第１部位と前記第２部位とのそれぞれについて、粒子速度が所定速度にまで低下するときの流れ抵抗値を得る第５ステップと、
前記第２ステップでは、前記粒子速度が大きい領域における面密度を、第５ステップで得られた前記流れ抵抗値を満足する第１面密度として決定する、
ようにしてある（請求項３対応）。この場合、高い遮音性が要求される粒子速度の最大値部位と相対的に低い遮音性ですむ粒子速度の中間値部位との両方を加味して、粒子速度の大きい領域についての吸音材の第１面密度を適切に設定する上で好ましいものとなる。
【００１３】
前記第２ステップでは、
前記第１面密度でかつ前記粒子速度が大きいときの騒音低減レベルとなる第１等価損失を決定し、
前記粒子速度が小さい領域についての面密度となる第２面密度を、粒子速度が小さいときの等価損失が前記第１等価損失と同等となるように決定する、
ようにしてある（請求項４対応）。この場合、外側パネルの面内について全体的に同等の等価損失とする上で好ましいものとなる。
【００１４】
前記外側パネルおよび内側パネルがそれぞれ方形とされ、
前記面密度が大きくされる領域が、前記外側パネルの中央部で方形とされた中央領域と、該中央領域を取り巻きかつ該中央領域および外側パネルの周縁領域に対してそれぞれ間隔を有する方形の環状領域として設定される、
ようにしてある（請求項５対応）。この場合、方形のパネルについて、遮音性と軽量化とを満足する好ましい面密度を設定する上で好ましいものとなる。
【００１５】
前記外側パネルが、車両におけるフロアパネルとされ、
前記内側パネルが、前記フロアパネルを上方から覆うように配設されるフロアカーペットとされている、
ようにしてある（請求項６対応）。この場合、車室内でのロードノイズ低減と車体の軽量化とを共に満足させる上で好ましいものとなる。
【発明の効果】
【００１６】
本発明によれば、遮音性と軽量化とを共に満足させることが可能なパネル遮音構造を設計することができる。
【図面の簡単な説明】
【００１７】
【図１】２重壁構造を模式的に示すと共に外側パネルが振動されている状況を示す断面図。
【図２】外側パネルが加振されたときに、粒子速度が大きい領域と小さい領域との分布例を示すと共に、粒子速度の最大値部位と中央値部位とを示す図。
【図３】図２の粒子速度の分布に基づいて吸音材の面密度を相違させた例を示す図。
【図４】粒子速度の最大値部位と中央値部位とのそれぞれについて、流れ抵抗σを変化させたときの粒子速度Ｖpの変化を示す図。
【図５】吸音材の目付と粒子速度と等価損失との関係を示す特性図。
【図６】本発明による吸音材の面密度を決定する手法を示す工程図。
【図７】本発明を車両のフロアパネル部分に適用した例を示す平面図。
【図８】図７のＸ８−Ｘ８線相当断面図。
【発明を実施するための形態】
【００１８】
図１は、２重壁構造を模式的に示すものである。この図１において、２０は外側パネル、３０は内側パネル、４０は吸音材である。外側パネル２０と内側パネル３０とは小間隔（例えば１０〜３０ｍｍ程度）あけて配設されている。両パネル２０と３０との間が空間Ｋとされている。そして、空間Ｋに、吸音材４０が隙間無く充填されている。そして、両パネル２０と３０との周囲の隙間は、閉塞部材５０によって閉塞されている（空間Ｋが外部を遮断された密閉空間あるいはほぼ密閉された空間とされている）。なお、両パネル２０、３０は、それぞれ正方形とされている。なお、図１において、フロアパネルについて２重壁構造を採択する場合を想定したときは、外側パネル２０として例えば０．６ｍｍ厚程度の軟鋼板を用い、内側パネル３０としてフロアカーペットを用いることができる。
【００１９】
両パネル２０と３０は、静止状態のときが破線で示されて、ほぼ平行状態を維持している。外側パネル２０に対して入射音（外側パネル２０を車両のフロアパネルとしたときはロードノイズ）が入力される。このとき、実線で示すように、外側パネル２０が振動され、これに応じて内側パネル３０も振動される。このように、パネル２０、３０の振動により、空間Ｋの容積は、外側パネル２０（内側パネル３０）の面内において変化し、空間Ｋ内の粒子速度（空気速度）が外側パネル２０の面内において相違することになる。
【００２０】
図２は、図１の状態から吸音材４０を無くした状態で外側パネル２０が加振されたときに、空間Ｋにおける粒子速度の分布状況を２段階で示すものである。図２では、粒子速度Ｖpが大きい領域（実施形態では２．５ｍ／ｓ以上の領域）が白抜きの領域として示され、粒子速度が小さい領域（実施形態では２．５ｍ／ｓ未満の領域）がハッチングを付した領域として示される。また、図２において、粒子速度が最大値（例えば５．０ｍ／ｓ）となる部位が符号Ｒ１で示され、粒子速度の中央値（例えば２．５ｍ／ｓ）となる部位が符号Ｒ２で示される。
【００２１】
吸音材４０によって、粒子速度を小さくする効果が高いほど、遮音効果が高いものとなる。すなわち、騒音エネルギの伝達が、外側パネルの振動→粒子速度への変化→内側パネルを振動→室内への伝播という過程を経ることから、吸音材４０によって粒子速度を低減することにより遮音効果を高めることができる。
【００２２】
ここで、吸音材４０の面密度が大きいほど、流れ抵抗（粒子速度を低減させる抵抗）が大きくなって、遮音効果の高いものとなる。また、同じ遮音効果を得るのであれば、粒子速度が小さいほど吸音材４０の面密度を小さくすることができる。したがって、図２で示すように得られた粒子速度の２段階での分布に基づいて、粒子速度の大きい領域では吸音材４０の面密度を大きくし、粒子速度の小さい領域では吸音材４０の面密度を小さくすることができる。つまり、外側パネル２０の面内における遮音性を同等にしつつ、面密度を小さくする部分の設定によって、その分軽量化を図ることができる。
【００２３】
図３においては、図２に示す粒子速度の分布に基づいて、吸音材４０の面密度を大きくした領域Ｍ１を白抜きで、また面密度を小さくした領域Ｍ２をハッチングを付して示してある。領域Ｍ１は、方形（実施形態では正方形）の中央部位と、この中央部位を取り巻く方形の環状部位の２箇所に設定される。領域Ｍ２は、２箇所の領域Ｍ１の間に位置する方形（実施形態では正方形）の環状部位と、外側パネル１の周縁部に位置する方形の環状部位との２箇所とされている。
【００２４】
次に、領域Ｍ１での大きな面密度の設定例について説明する。まず、図２に示す粒子速度の分布から、粒子速度の最大値部位Ｒ１と中央値部位Ｒ２とが選択される。そして、この両部位Ｒ１とＲ２のそれぞれについて、流れ抵抗σを０から増大させたときの粒子速度Ｖp（の変化）が取得される。図４は、このようにして得られた粒子速度Ｖpと流れ抵抗σとの相関関係例を示すものである。図４中、破線が最大値部位Ｒ１についてのものであり、実線が中央値部位Ｒ２についてのものである。
【００２５】
図４において、部位Ｒ１およびＲ２共に、当初は、流れ抵抗の増大に伴って粒子速度Ｖpが大きく低下されていくが、流れ抵抗σが０．０３（単位はＭＰa・ｓ／ｍ2 で、以下の説明では単位を省略して記載する）となった後は、流れ抵抗σの増大に伴う粒子速度Ｖpの低下分が極めて小さくなり、流れ抵抗σを０．０５〜０．０６付近から増大させても、粒子速度Ｖpは殆ど低下しないことになる。
【００２６】
各部位Ｒ１とＲ２のそれぞれについて、流れ抵抗σを０．０６よりも大きくしても、粒子速度Ｖpの低下は実質的に得られない状況となる（吸音材４０による粒子速度Ｖpの低下機能の飽和あるいは限界）。このことから、各部位Ｒ１とＲ２とのそれぞれについて、流れ抵抗σが同一という条件において、粒子速度Ｖｐが同一となるときを所定の目標値ＶpＴとする。この目標値ＶｐＴのときの流れ抵抗σを、図３に示す面密度の大きい領域Ｍ１で要求される流れ抵抗として設定する（粒子速度Ｖpが最大となる部位での遮音性を十分に確保）。
【００２７】
ここで、図５は、吸音材４０の目付（面密度、重量に対応）と等価損失（騒音レベルの低減度合い）との関係を示すものである。この図５から明かなように、同じ等価損失を得るのに必要な目付は、粒子速度が大きいほど大きくする必要がある。つまり、ある等価損失δを得る場合に、粒子速度Ｖpが大きいときに比して粒子速度Ｖpが小さい方が、目付を小さくすることができ、その差分が吸音材４０の重量差（重量の低減代）となる。なお、図５において、Ｖp・大の特性は、検出された粒子速度Ｖpの最大値に対応し（例えば５ｍ／ｓ）、Ｖp・小の特性は、検出された粒子速度Ｖpの中央値（例えば２．５ｍ／ｓ）に対応している。
【００２８】
前述のように、粒子速度の大きい領域Ｍ１について要求される流れ抵抗（実施形態では０．０６）に基づいて、吸音材４０の目付が設定される。
【００２９】
領域Ｍ１について設定された目付をβ１としたとき、これに対応した所定の等価損失（図５におけるδが対応）が、粒子速度Ｖpが大として示される特性線（図５実線）から決定される。そして、領域Ｍ２についての吸音材４０の目付β２は、粒子速度Ｖpが小さいときの特性線（図５破線）に基づいて、所定の等価損失δとなるときの目付として決定される。これにより、領域Ｍ１とＭ２とで、同じ等価損失（同じ遮音性能）とすることができる。なお、中央値部位Ｘ２での粒子速度を考慮することにより、粒子速度が小さい領域Ｍ２での遮音性を十分に確保する上で好ましいものとなる。
【００３０】
図６は、前述した領域Ｍ１とＭ２を設定して、この領域Ｍ１、Ｍ２に対する吸音材４０の面密度を設定するための工程を示すものである。図６は、前述した説明を総合したものとなっている。なお、以下の説明でＱはステップを示す。
【００３１】
まず、Ｑ１において、２重壁構造で吸音材４０が存在しない状態の下に、外側パネル２０を所定周波数で加振して（例えば音響スピーカによる加振）、そのときの粒子速度Ｖpの分布が求められる（図２のようなマップの取得で、粒子速度は粒子速度センサを利用して検出）。Ｑ１の処理は、例えば車両のフロアパネルのうち後席部分に対する遮音対策の場合は、外側パネル２０としてのフロアパネルを例えば９００Ｈｚで加振すればよく、この加振による粒子速度の分布は、シミュレーションにより取得することができる。
【００３２】
この後、Ｑ２において、しきい値となる所定値を境にして、粒子速度の大きい領域Ｍ１と小さい領域Ｍ２とが設定される（図３のようなマップの設定）。
【００３３】
Ｑ３では、粒子速度Ｖpの最大値部位Ｒ１と中央値部位Ｒ２とが選択される。この後、Ｑ４において、両部位Ｒ１とＲ２とについて、流れ抵抗σを０から増大させたときの粒子速度Ｖpの関係が取得される（図４のような特性の取得で、シミュレーションによる取得とすることができる）。
【００３４】
Ｑ５では、取得された図４に示すような特性から、各部位Ｒ１とＲ２とのそれぞれについて、粒子速度Ｖpがほぼ同じ値となる目標値ＶpＴまで低下するときの流れ抵抗値σが決定される（実施形態では０．０６）。この後、Ｑ６において、Ｑ５で決定された流れ抵抗σを満足する吸音材４０の第１面密度（図５におけるβ１対応）が決定される。このＱ６で決定される第１面密度が、吸音材４０のうち領域Ｍ１についての面密度となる。
【００３５】
Ｑ７では、図５に示す特性に基づいて、粒子速度Ｖpが小のときについて、粒子速度Ｖpが大かつ第１面密度のときの等価損失と同等の等価損失δとするための第２面密度が決定される。この第２面密度が、吸音材４０のうち領域Ｍ２についての面密度となる。
【００３６】
次に、図７、図８を参照しつつ、本発明を車両のフロアパネルについて適用した例について説明する。まず、図７において、１は、車室床面を構成するフロアパネルであり、前後２列のシートを有する車両用とされている。フロアパネル１の後部は、キックアップ部２を介して、リアフロアパネル３が連なっている。フロアパネル１の車幅方向中央部には、上方へ膨出されて前後方向に向けて伸びるトンネル部４が形成されている。そして、フロアパネル１の車幅方向端部は、前後方向に伸びる強度部材としてのサイドシル５に接合されている。
【００３７】
フロアパネル１上には、車幅方向に伸びる前後２組のクロスメンバ１１、１２が接合されている。前側のクロスメンバ１１は、前席用シートが取付けられるようになっており、トンネル部４とサイドシル５とを連結している。後側のクロスメンバ１２は、後席用シートが取付けられるようになっており、トンネル部４とサイドシル５とを連結している。なお、図中７は左右一対のフロントフレーム、８はエンジンルームと車室とを仕切るダッシュパネルである。
【００３８】
フロアパネル１に対しては、左右一対のサイドシル５の間において、前後方向に斜めに延びるフロアフレーム１５が接合されている。このフロアフレーム１５は、その前端がフロントフレーム７の後部に直接的にまたは強度部材を介して間接的に連なり、その後端がサイドシル５の後部に連なっている。すなわち、フロアフレーム１５は、フロントフレーム７に入力される前方からの荷重が伝達されるロードパスを構成している。なお、フロアフレーム１５は、クロスメンバ１１よりも前側においては、ハット状の強度部材がフロアパネル１の上面と下面とに接合されることにより上下２つの閉断面を構成する一方、クロスメンバ１１よりも後部は、フロアパネル１の下面にのみハット状の強度部材が接合されて１つの閉断面を構成している。
【００３９】
フロアパネル１は、左右一対のサイドシル５、トンネル部４、クロスメンバ１１、１２によって、平面視において、ロードノイズを受けて振動されやすい６箇所のパネル部分が存在して、この各パネル部分について、２重壁構造の遮音構造が採択されている。この２重壁構造のうち、後席に対する断面構造が図８に示される。なお、図８において、クロスメンバ１２，トンネル部４、キックアップ部２が、図１での閉塞部材５０に対応したものとなる。
【００４０】
図８において、２重壁構造は、外側パネル２０に相当するフロアパネル１と、内側パネル３０に相当するフロアカーペット１６とを有し、その間の空間に吸音材１７（図１における吸音材４０対応）が充填されている。吸音材１７は、繊維系のものが用いられている。また、フロアカーペット１６の全周縁部は、シールされて、吸音材１７が配設される空間（図１における空間Ｋ対応）が極力密閉構造となるように設定されている。そして、この吸音材１７について、フロアパネル１の面内における粒子速度の分布に応じて、面密度が相違するように設定される。すなわち、吸音材１７が、平面視において、例えば図３に示すようにして、面密度の大きい部分と面密度の小さい部分とに分けて存在される。
【００４１】
実施形態では、フロアカーペット１６は、トンネル部４を境にして左右２枚設けられている。ただし、トンネル部４を境にした左右のフロアカーペット１６を、クロスメンバ１１と１２とを境にして前後に３枚の分割構成とすることもできる。なお、図８においては、フロアカーペット１６がクロスメンバ１２よりも低い位置に設定されているが、フロアカーペット１６をクロスメンバ１２よりも高い位置に設定することもできる（フロアパネル１とフロアカーペット１６との上下方向間隔が大きくなって、その分遮音性が向上）。
【００４２】
ここで、吸音材面１７の面密度は、従来であれば、粒子速度の大きい領域Ｍ１に対応させて全体的に大きいものに設定される（例えば面密度０．９ｋｇ／ｍ2）。これに対して、本発明では、粒子速度の小さい領域Ｍ２の面密度を小さく設定する（例えば面密度０．６ｋｇ／ｍ2 ）ことにより、フロアパネル１全体では、合計で０．５ｋｇ以上の軽量化を図ることができる。
【００４３】
以上実施形態について説明したが、本発明は、実施形態に限定されるものではなく、特許請求の範囲の記載された範囲において適宜の変更が可能である。本発明は、車両のフロアパネルに限らず、車両の他の部位（例えばサイドドア部分、トランクリッド等）にも適用でき、また車両に限らず、建物用の遮音壁等適宜の部位に適用することができる。粒子速度の分布に基づく領域分けは、大小の２段階に限らず、３段階以上に領域分けして、各領域毎に吸音材の面密度を相違させるようにしてもよい。粒子速度の分布を求めるための加振の際の周波数は、低減要求がある周波数（周波数域）として適宜選択することができる。また、互いに大きく異なる（例えば１００Ｈｚ以上相違する）複数の周波数についてそれぞれ粒子速度の分布を求めて、複数の周波数についての粒子速度の分布に基づいて、粒子速度の領域分けを行うこともできる。勿論、本発明の目的は、明記されたものに限らず、実質的に好ましいあるいは利点として表現されたものを提供することをも暗黙的に含むものである。
【産業上の利用可能性】
【００４４】
本発明は、例えば室内の静粛性を確保しつつ車両の軽量化を図れるパネル遮音構造を設計することができる。
【符号の説明】
【００４５】
１：フロアパネル（図８で、外側パネル対応）
１６：フロアカーペット（図８で、内側パネル対応）
１７：吸音材（図８）
２０：外側パネル
３０：内側パネル
４０：吸音材
Ｋ：空間
Ｍ１：流れ抵抗大の領域
Ｍ２：流れ抵抗小の領域
Ｒ１：粒子速度の最大値部位
Ｒ２：粒子速度の中央値部位
β１：粒子速度が大の領域での吸音材の目付
β２：粒子速度が小の領域での吸音材の目付
【図１】
2018066797.tif 000003
【図２】
2018066797.tif 000004
【図３】
2018066797.tif 000005
【図４】
2018066797.tif 000006
【図５】
2018066797.tif 000007
【図６】
2018066797.tif 000008
【図７】
2018066797.tif 000009
【図８】
2018066797.tif 000010
【手続補正書】
【提出日】平成29年9月12日(2017.9.12)
【手続補正１】
【補正対象書類名】明細書
【補正対象項目名】全文
【補正方法】変更
【補正の内容】
【発明の詳細な説明】
【技術分野】
【０００１】
本発明は、パネル遮音構造の設計方に関するものである。
【背景技術】
【０００２】
遮音のためのパネル構造として、騒音が入射される外側パネルに対して、間隔をあけて内側パネルを配設して、この外側パネルと内側パネルとの間の空間内に吸音材を充填した２重壁構造が知られている。
【０００３】
車両においては、ロードノイズがフロアパネルを介して車室内に伝達されることから、フロアパネル部分での遮音というものが重要となる。特許文献１には、フロアパネルパネル部分を２重壁構造としたものが開示されている。
【先行技術文献】
【特許文献】
【０００４】
【特許文献１】特開２０１４−１８９２３０号公報
【発明の概要】
【発明が解決しようとする課題】
【０００５】
ところで、遮音のために採択された２重壁構造にあっては、吸音材の面密度が大きいほど（つまり空間内での空気の流れ抵抗が大きいほど）、遮音性向上の上では好ましい反面、面密度が高くなるほど重量増加となり、軽量化という点では好ましくないものとなる。
【０００６】
従来の２重壁構造は、外側パネルの面内において（外側パネルの面に沿って）、吸音材の面密度が同一に設定されているのが実情である。すなわち、従来は、外側パネルから内側パネルとの間の空間においては、空気（粒子）が外側パネルから内側パネルに向けてほぼまっすぐに（外側パネルと直交する方向に）移動するものと考えられており、外側パネルの面内において吸音材の材質を変更する等のことは全く考慮されていないのが実情である。
【０００７】
一方、例えば車両のフロアパネル部分に２重壁構造を採択した場合に、フロアパネルは薄板の鉄系金属で形成されているいことから、例えばロードノイズによって微妙に振動されて、吸音材が配設される空間内ので空気速度（粒子速度）の分布が、外側パネルとしてのフロアパネルの面内において相違する、ということが新たに知得された。すなわち、振動する外側パネルは、振動していない静止状態の場合から大きく変位する腹の部分を有することから、腹とならない部分との間で空間容積の差が生じて、外側パネルの面内において空気の速度（つまり粒子速度）が移動することになる。
【０００８】
本発明は以上のような事情を勘案してなされたもので、その目的は、外側パネルの面内における粒子速度の相違を勘案して、外側パネルの面内における吸音材の面密度を適正に設定して、遮音性と軽量化とを共に満足できるパネル遮音構造の設計方法を提供することにある。
【課題を解決するための手段】
【０００９】
前記目的を達成するため、本発明にあっては次のような解決手法を採択してある。すなわち、請求項１に記載のように、
騒音の入射側となる外側パネルと、該入射側パネルに対して間隔をあけて配設された内側パネルと、該外側パネルと内側パネルとの間の空間内に配設された吸音材と、を有するパネル遮音構造の設計方法であって、
前記吸音材が無い状態において前記外側パネルを加振することにより、前記外側パネルの面内について、前記空間内での粒子速度の分布を求めて、所定のしきい値を境にして粒子速度の大きい領域と小さい領域との２段階での分布を求める第１ステップと、
前記外側パネルの面内について、前記第１ステップで得られた粒子速度の小さい領域では粒子速度の大きい領域に比して前記吸音材の面密度が小さくなるように該吸音材の面密度の分布を２段階で相違するように決定する第２ステップと、
前記第１ステップでの粒子速度の分布に基づいて、粒子速度が最大となる第１部位と中央値をとる第２部位とを選択する第３ステップと、
前記第３ステップで取得された前記第１部位と前記第２部位のそれぞれについて、前記空間内での流れ抵抗を０から増大させたときの粒子速度と流れ抵抗との関係を求める第４ステップと、
前記第４ステップで求められた粒子速度と流れ抵抗との関係において、前記第１部位と前記第２部位とのそれぞれについて、粒子速度が互いに同一となる目標値にまで低下するときの流れ抵抗を得る第５ステップと、
を備え、
前記第２ステップでは、前記粒子速度が大きい領域における面密度を、第５ステップで得られた前記流れ抵抗を満足する第１面密度として決定する、
ようにしてある。
【００１０】
上記解決手法によれば、外側パネルの面内について、粒子速度の相違に応じて吸音材の面密度を相違させて、外側パネルの面内において一律に面密度を大きくする場合に比して、遮音性を同等のものとしつつ軽量化を図れるパネル遮音構造を設計することができる。
【００１１】
また、前記第１ステップでは、所定のしきい値を境にして粒子速度の大きい領域と小さい領域との２段階での分布を求め、前記第２ステップでは前記吸音材の面密度の分布が２段階で相違するように決定することから、吸音材の構造をいたずらに複雑化することなく、上述した効果を得ることができる。
【００１２】
さらに、高い遮音性が要求される粒子速度の最大値部位と相対的に低い遮音性ですむ粒子速度の中間値部位との両方を加味して、粒子速度の大きい領域についての吸音材の第１面密度を適切に設定する上で好ましいものとなる。
【００１３】
上記解決手法を前提とした好ましい態様は、請求項２以下に記載のとおりである。すなわち、
前記第２ステップでは、
前記第１面密度でかつ前記最大の粒子速度である場合の騒音低減レベルとなる第１透過損失を決定し、
前記粒子速度が小さい領域についての面密度となる第２面密度を、粒子速度が前記中央値である場合の透過損失が前記第１透過損失と同等となるように決定する、
ようにしてある（請求項２対応）。この場合、外側パネルの面内について全体的に同等の透過損失とする上で好ましいものとなる。
【００１４】
前記外側パネルおよび内側パネルがそれぞれ方形とされ、
前記面密度が大きくされる領域が、前記外側パネルの中央部で方形とされた中央領域と、該中央領域を取り巻きかつ該中央領域および外側パネルの周縁領域に対してそれぞれ間隔を有する方形の環状領域として設定される、
ようにしてある（請求項３対応）。この場合、方形のパネルについて、遮音性と軽量化とを満足する好ましい面密度を設定する上で好ましいものとなる。
【００１５】
前記外側パネルが、車両におけるフロアパネルとされ、
前記内側パネルが、前記フロアパネルを上方から覆うように配設されるフロアカーペットとされている、
ようにしてある（請求項４対応）。この場合、車室内でのロードノイズ低減と車体の軽量化とを共に満足させる上で好ましいものとなる。
【発明の効果】
【００１６】
本発明によれば、遮音性と軽量化とを共に満足させることが可能なパネル遮音構造を設計することができる。
【図面の簡単な説明】
【００１７】
【図１】２重壁構造を模式的に示すと共に外側パネルが振動されている状況を示す断面図。
【図２】外側パネルが加振されたときに、粒子速度が大きい領域と小さい領域との分布例を示すと共に、粒子速度の最大値部位と中央値部位とを示す図。
【図３】図２の粒子速度の分布に基づいて吸音材の面密度を相違させた例を示す図。
【図４】粒子速度の最大値部位と中央値部位とのそれぞれについて、流れ抵抗σを変化させたときの粒子速度Ｖpの変化を示す図。
【図５】吸音材の目付と粒子速度と透過損失との関係を示す特性図。
【図６】本発明による吸音材の面密度を決定する手法を示す工程図。
【図７】本発明を車両のフロアパネル部分に適用した例を示す平面図。
【図８】図７のＸ８−Ｘ８線相当断面図。
【発明を実施するための形態】
【００１８】
図１は、２重壁構造を模式的に示すものである。この図１において、２０は外側パネル、３０は内側パネル、４０は吸音材である。外側パネル２０と内側パネル３０とは小間隔（例えば１０〜３０ｍｍ程度）あけて配設されている。両パネル２０と３０との間が空間Ｋとされている。そして、空間Ｋに、吸音材４０が隙間無く充填されている。そして、両パネル２０と３０との周囲の隙間は、閉塞部材５０によって閉塞されている（空間Ｋが外部を遮断された密閉空間あるいはほぼ密閉された空間とされている）。なお、両パネル２０、３０は、それぞれ正方形とされている。なお、図１において、フロアパネルについて２重壁構造を採択する場合を想定したときは、外側パネル２０として例えば０．６ｍｍ厚程度の軟鋼板を用い、内側パネル３０としてフロアカーペットを用いることができる。
【００１９】
両パネル２０と３０は、静止状態のときが破線で示されて、ほぼ平行状態を維持している。外側パネル２０に対して入射音（外側パネル２０を車両のフロアパネルとしたときはロードノイズ）が入力される。このとき、実線で示すように、外側パネル２０が振動され、これに応じて内側パネル３０も振動される。このように、パネル２０、３０の振動により、空間Ｋの容積は、外側パネル２０（内側パネル３０）の面内において変化し、空間Ｋ内の粒子速度（空気速度）が外側パネル２０の面内において相違することになる。
【００２０】
図２は、図１の状態から吸音材４０を無くした状態で外側パネル２０が加振されたときに、空間Ｋにおける粒子速度の分布状況を２段階で示すものである。図２では、粒子速度Ｖpが大きい領域（実施形態では２．５ｍ／ｓ以上の領域）が白抜きの領域として示され、粒子速度が小さい領域（実施形態では２．５ｍ／ｓ未満の領域）がハッチングを付した領域として示される。また、図２において、粒子速度が最大値（例えば５．０ｍ／ｓ）となる部位が符号Ｒ１で示され、粒子速度の中央値（例えば２．５ｍ／ｓ）となる部位が符号Ｒ２で示される。
【００２１】
吸音材４０によって、粒子速度を小さくする効果が高いほど、遮音効果が高いものとなる。すなわち、騒音エネルギの伝達が、外側パネルの振動→粒子速度への変化→内側パネルを振動→室内への伝播という過程を経ることから、吸音材４０によって粒子速度を低減することにより遮音効果を高めることができる。
【００２２】
ここで、吸音材４０の面密度が大きいほど、流れ抵抗（粒子速度を低減させる抵抗）が大きくなって、遮音効果の高いものとなる。また、同じ遮音効果を得るのであれば、粒子速度が小さいほど吸音材４０の面密度を小さくすることができる。したがって、図２で示すように得られた粒子速度の２段階での分布に基づいて、粒子速度の大きい領域では吸音材４０の面密度を大きくし、粒子速度の小さい領域では吸音材４０の面密度を小さくすることができる。つまり、外側パネル２０の面内における遮音性を同等にしつつ、面密度を小さくする部分の設定によって、その分軽量化を図ることができる。
【００２３】
図３においては、図２に示す粒子速度の分布に基づいて、吸音材４０の面密度を大きくした領域Ｍ１を白抜きで、また面密度を小さくした領域Ｍ２をハッチングを付して示してある。領域Ｍ１は、方形（実施形態では正方形）の中央部位と、この中央部位を取り巻く方形の環状部位の２箇所に設定される。領域Ｍ２は、２箇所の領域Ｍ１の間に位置する方形（実施形態では正方形）の環状部位と、外側パネル１の周縁部に位置する方形の環状部位との２箇所とされている。
【００２４】
次に、領域Ｍ１での大きな面密度の設定例について説明する。まず、図２に示す粒子速度の分布から、粒子速度の最大値部位Ｒ１と中央値部位Ｒ２とが選択される。そして、この両部位Ｒ１とＲ２のそれぞれについて、流れ抵抗σを０から増大させたときの粒子速度Ｖp（の変化）が取得される。図４は、このようにして得られた粒子速度Ｖpと流れ抵抗σとの相関関係例を示すものである。図４中、破線が最大値部位Ｒ１についてのものであり、実線が中央値部位Ｒ２についてのものである。
【００２５】
図４において、部位Ｒ１およびＲ２共に、当初は、流れ抵抗の増大に伴って粒子速度Ｖpが大きく低下されていくが、流れ抵抗σが０．０３（単位はＭＰa・ｓ／ｍ2 で、以下の説明では単位を省略して記載する）となった後は、流れ抵抗σの増大に伴う粒子速度Ｖpの低下分が極めて小さくなり、流れ抵抗σを０．０５〜０．０６付近から増大させても、粒子速度Ｖpは殆ど低下しないことになる。
【００２６】
各部位Ｒ１とＲ２のそれぞれについて、流れ抵抗σを０．０６よりも大きくしても、粒子速度Ｖpの低下は実質的に得られない状況となる（吸音材４０による粒子速度Ｖpの低下機能の飽和あるいは限界）。このことから、各部位Ｒ１とＲ２とのそれぞれについて、流れ抵抗σが同一という条件において、粒子速度Ｖｐが同一となるときを所定の目標値ＶpＴとする。この目標値ＶｐＴのときの流れ抵抗σを、図３に示す面密度の大きい領域Ｍ１で要求される流れ抵抗として設定する（粒子速度Ｖpが最大となる部位での遮音性を十分に確保）。
【００２７】
ここで、図５は、吸音材４０の目付（面密度、重量に対応）と透過損失（騒音レベルの低減度合い）との関係を示すものである。この図５から明かなように、同じ透過損失を得るのに必要な目付は、粒子速度が大きいほど大きくする必要がある。つまり、ある透過損失δを得る場合に、粒子速度Ｖpが大きいときに比して粒子速度Ｖpが小さい方が、目付を小さくすることができ、その差分が吸音材４０の重量差（重量の低減代）となる。なお、図５において、Ｖp・大の特性は、検出された粒子速度Ｖpの最大値に対応し（例えば５ｍ／ｓ）、Ｖp・小の特性は、検出された粒子速度Ｖpの中央値（例えば２．５ｍ／ｓ）に対応している。
【００２８】
前述のように、粒子速度の大きい領域Ｍ１について要求される流れ抵抗（実施形態では０．０６）に基づいて、吸音材４０の目付が設定される。
【００２９】
領域Ｍ１について設定された目付をβ１としたとき、これに対応した所定の透過損失（図５におけるδが対応）が、粒子速度Ｖpが大として示される特性線（図５実線）から決定される。そして、領域Ｍ２についての吸音材４０の目付β２は、粒子速度Ｖpが小さいときの特性線（図５破線）に基づいて、所定の透過損失δとなるときの目付として決定される。これにより、領域Ｍ１とＭ２とで、同じ透過損失（同じ遮音性能）とすることができる。なお、中央値部位Ｘ２での粒子速度を考慮することにより、粒子速度が小さい領域Ｍ２での遮音性を十分に確保する上で好ましいものとなる。
【００３０】
図６は、前述した領域Ｍ１とＭ２を設定して、この領域Ｍ１、Ｍ２に対する吸音材４０の面密度を設定するための工程を示すものである。図６は、前述した説明を総合したものとなっている。なお、以下の説明でＱはステップを示す。
【００３１】
まず、Ｑ１において、２重壁構造で吸音材４０が存在しない状態の下に、外側パネル２０を所定周波数で加振して（例えば音響スピーカによる加振）、そのときの粒子速度Ｖpの分布が求められる（図２のようなマップの取得で、粒子速度は粒子速度センサを利用して検出）。Ｑ１の処理は、例えば車両のフロアパネルのうち後席部分に対する遮音対策の場合は、外側パネル２０としてのフロアパネルを例えば９００Ｈｚで加振すればよく、この加振による粒子速度の分布は、シミュレーションにより取得することができる。
【００３２】
この後、Ｑ２において、しきい値となる所定値を境にして、粒子速度の大きい領域Ｍ１と小さい領域Ｍ２とが設定される（図３のようなマップの設定）。
【００３３】
Ｑ３では、粒子速度Ｖpの最大値部位Ｒ１と中央値部位Ｒ２とが選択される。この後、Ｑ４において、両部位Ｒ１とＲ２とについて、流れ抵抗σを０から増大させたときの粒子速度Ｖpの関係が取得される（図４のような特性の取得で、シミュレーションによる取得とすることができる）。
【００３４】
Ｑ５では、取得された図４に示すような特性から、各部位Ｒ１とＲ２とのそれぞれについて、粒子速度Ｖpがほぼ同じ値となる目標値ＶpＴまで低下するときの流れ抵抗値σが決定される（実施形態では０．０６）。この後、Ｑ６において、Ｑ５で決定された流れ抵抗σを満足する吸音材４０の第１面密度（図５におけるβ１対応）が決定される。このＱ６で決定される第１面密度が、吸音材４０のうち領域Ｍ１についての面密度となる。
【００３５】
Ｑ７では、図５に示す特性に基づいて、粒子速度Ｖpが小のときについて、粒子速度Ｖpが大かつ第１面密度のときの透過損失と同等の透過損失δとするための第２面密度が決定される。この第２面密度が、吸音材４０のうち領域Ｍ２についての面密度となる。
【００３６】
次に、図７、図８を参照しつつ、本発明を車両のフロアパネルについて適用した例について説明する。まず、図７において、１は、車室床面を構成するフロアパネルであり、前後２列のシートを有する車両用とされている。フロアパネル１の後部は、キックアップ部２を介して、リアフロアパネル３が連なっている。フロアパネル１の車幅方向中央部には、上方へ膨出されて前後方向に向けて伸びるトンネル部４が形成されている。そして、フロアパネル１の車幅方向端部は、前後方向に伸びる強度部材としてのサイドシル５に接合されている。
【００３７】
フロアパネル１上には、車幅方向に伸びる前後２組のクロスメンバ１１、１２が接合されている。前側のクロスメンバ１１は、前席用シートが取付けられるようになっており、トンネル部４とサイドシル５とを連結している。後側のクロスメンバ１２は、後席用シートが取付けられるようになっており、トンネル部４とサイドシル５とを連結している。なお、図中７は左右一対のフロントフレーム、８はエンジンルームと車室とを仕切るダッシュパネルである。
【００３８】
フロアパネル１に対しては、左右一対のサイドシル５の間において、前後方向に斜めに延びるフロアフレーム１５が接合されている。このフロアフレーム１５は、その前端がフロントフレーム７の後部に直接的にまたは強度部材を介して間接的に連なり、その後端がサイドシル５の後部に連なっている。すなわち、フロアフレーム１５は、フロントフレーム７に入力される前方からの荷重が伝達されるロードパスを構成している。なお、フロアフレーム１５は、クロスメンバ１１よりも前側においては、ハット状の強度部材がフロアパネル１の上面と下面とに接合されることにより上下２つの閉断面を構成する一方、クロスメンバ１１よりも後部は、フロアパネル１の下面にのみハット状の強度部材が接合されて１つの閉断面を構成している。
【００３９】
フロアパネル１は、左右一対のサイドシル５、トンネル部４、クロスメンバ１１、１２によって、平面視において、ロードノイズを受けて振動されやすい６箇所のパネル部分が存在して、この各パネル部分について、２重壁構造の遮音構造が採択されている。この２重壁構造のうち、後席に対する断面構造が図８に示される。なお、図８において、クロスメンバ１２，トンネル部４、キックアップ部２が、図１での閉塞部材５０に対応したものとなる。
【００４０】
図８において、２重壁構造は、外側パネル２０に相当するフロアパネル１と、内側パネル３０に相当するフロアカーペット１６とを有し、その間の空間に吸音材１７（図１における吸音材４０対応）が充填されている。吸音材１７は、繊維系のものが用いられている。また、フロアカーペット１６の全周縁部は、シールされて、吸音材１７が配設される空間（図１における空間Ｋ対応）が極力密閉構造となるように設定されている。そして、この吸音材１７について、フロアパネル１の面内における粒子速度の分布に応じて、面密度が相違するように設定される。すなわち、吸音材１７が、平面視において、例えば図３に示すようにして、面密度の大きい部分と面密度の小さい部分とに分けて存在される。
【００４１】
実施形態では、フロアカーペット１６は、トンネル部４を境にして左右２枚設けられている。ただし、トンネル部４を境にした左右のフロアカーペット１６を、クロスメンバ１１と１２とを境にして前後に３枚の分割構成とすることもできる。なお、図８においては、フロアカーペット１６がクロスメンバ１２よりも低い位置に設定されているが、フロアカーペット１６をクロスメンバ１２よりも高い位置に設定することもできる（フロアパネル１とフロアカーペット１６との上下方向間隔が大きくなって、その分遮音性が向上）。
【００４２】
ここで、吸音材面１７の面密度は、従来であれば、粒子速度の大きい領域Ｍ１に対応させて全体的に大きいものに設定される（例えば面密度０．９ｋｇ／ｍ2）。これに対して、本発明では、粒子速度の小さい領域Ｍ２の面密度を小さく設定する（例えば面密度０．６ｋｇ／ｍ2 ）ことにより、フロアパネル１全体では、合計で０．５ｋｇ以上の軽量化を図ることができる。
【００４３】
以上実施形態について説明したが、本発明は、実施形態に限定されるものではなく、特許請求の範囲の記載された範囲において適宜の変更が可能である。本発明は、車両のフロアパネルに限らず、車両の他の部位（例えばサイドドア部分、トランクリッド等）にも適用でき、また車両に限らず、建物用の遮音壁等適宜の部位に適用することができる。粒子速度の分布に基づく領域分けは、大小の２段階に限らず、３段階以上に領域分けして、各領域毎に吸音材の面密度を相違させるようにしてもよい。粒子速度の分布を求めるための加振の際の周波数は、低減要求がある周波数（周波数域）として適宜選択することができる。また、互いに大きく異なる（例えば１００Ｈｚ以上相違する）複数の周波数についてそれぞれ粒子速度の分布を求めて、複数の周波数についての粒子速度の分布に基づいて、粒子速度の領域分けを行うこともできる。勿論、本発明の目的は、明記されたものに限らず、実質的に好ましいあるいは利点として表現されたものを提供することをも暗黙的に含むものである。
【産業上の利用可能性】
【００４４】
本発明は、例えば室内の静粛性を確保しつつ車両の軽量化を図れるパネル遮音構造を設計することができる。
【符号の説明】
【００４５】
１：フロアパネル（図８で、外側パネル対応）
１６：フロアカーペット（図８で、内側パネル対応）
１７：吸音材（図８）
２０：外側パネル
３０：内側パネル
４０：吸音材
Ｋ：空間
Ｍ１：流れ抵抗大の領域
Ｍ２：流れ抵抗小の領域
Ｒ１：粒子速度の最大値部位
Ｒ２：粒子速度の中央値部位
β１：粒子速度が大の領域での吸音材の目付
β２：粒子速度が小の領域での吸音材の目付
【手続補正２】
【補正対象書類名】特許請求の範囲
【補正対象項目名】全文
【補正方法】変更
【補正の内容】
【特許請求の範囲】
【請求項１】
騒音の入射側となる外側パネルと、該入射側パネルに対して間隔をあけて配設された内側パネルと、該外側パネルと内側パネルとの間の空間内に配設された吸音材と、を有するパネル遮音構造の設計方法であって、
前記吸音材が無い状態において前記外側パネルを加振することにより、前記外側パネルの面内について、前記空間内での粒子速度の分布を求めて、所定のしきい値を境にして粒子速度の大きい領域と小さい領域との２段階での分布を求める第１ステップと、
前記外側パネルの面内について、前記第１ステップで得られた粒子速度の小さい領域では粒子速度の大きい領域に比して前記吸音材の面密度が小さくなるように該吸音材の面密度の分布を２段階で相違するように決定する第２ステップと、
前記第１ステップでの粒子速度の分布に基づいて、粒子速度が最大となる第１部位と中央値をとる第２部位とを選択する第３ステップと、
前記第３ステップで取得された前記第１部位と前記第２部位のそれぞれについて、前記空間内での流れ抵抗を０から増大させたときの粒子速度と流れ抵抗との関係を求める第４ステップと、
前記第４ステップで求められた粒子速度と流れ抵抗との関係において、前記第１部位と前記第２部位とのそれぞれについて、粒子速度が互いに同一となる目標値にまで低下するときの流れ抵抗を得る第５ステップと、
を備え、
前記第２ステップでは、前記粒子速度が大きい領域における面密度を、第５ステップで得られた前記流れ抵抗を満足する第１面密度として決定する、
ことを特徴とするパネル遮音構造の設計方法。
【請求項２】
請求項１において、
前記第２ステップでは、
前記第１面密度でかつ前記最大の粒子速度である場合の騒音低減レベルとなる第１透過損失を決定し、
前記粒子速度が小さい領域についての面密度となる第２面密度を、粒子速度が前記中央値である場合の透過損失が前記第１透過損失と同等となるように決定する、
ことを特徴とするパネル遮音構造の設計方法。
【請求項３】
請求項１または請求項２において、
前記外側パネルおよび内側パネルがそれぞれ方形とされ、
前記面密度が大きくされる領域が、前記外側パネルの中央部で方形とされた中央領域と、該中央領域を取り巻きかつ該中央領域および外側パネルの周縁領域に対してそれぞれ間隔を有する方形の環状領域として設定される、
ことを特徴とするパネル遮音構造の設計方法。
【請求項４】
請求項１ないし請求項３のいずれか１項において、
前記外側パネルが、車両におけるフロアパネルとされ、
前記内側パネルが、前記フロアパネルを上方から覆うように配設されるフロアカーペットとされている、
ことを特徴とするパネル遮音構造の設計方法。